(57)【要約】【課題】感度を向上させることができるコリメータ、放射線撮像装置および核医学診断装置を提供する。【解決手段】放射線撮像装置は、放射線検出器に対向配置され、被検体から放射されるガンマ線のうち特定方向のガンマ線を放射線検出器１２へ通過させる貫通穴１１ａが形成されたコリメータ１１を有し、コリメータ１１は、貫通穴１１ａが形成された金属製の筒状部材１１Ａを、放射線検出器１２を構成する複数の検出器１２ａに対応させて複数個互いに接着剤Ｓで結合してなることを特徴とする。【選択図】図２
2008275362.tif 000002
【特許請求の範囲】
【請求項１】
被検体から放射されるガンマ線のうち特定方向のガンマ線を放射線検出器へ通過させる貫通穴が形成された金属製の筒状部材を、複数個互いに接着剤で結合してなることを特徴とするコリメータ。
【請求項２】
放射線検出器に対向配置され、被検体から放射されるガンマ線のうち特定方向のガンマ線を前記放射線検出器へ通過させる貫通穴が形成されたコリメータを有する放射線撮像装置であって、
前記コリメータは、前記貫通穴が形成された金属製の筒状部材を、前記放射線検出器を構成する複数の検出器に対応させて複数個互いに接着剤で結合してなることを特徴とする放射線撮像装置。
【請求項３】
前記コリメータは、前記筒状部材を複数個互いに接着剤で結合する際に、前記筒状部材の前記貫通穴に挿通される位置決め部材で前記筒状部材同士が位置決めされることで、前記筒状部材の配列ピッチが前記検出器の配列ピッチに一致されてなることを特徴とする請求項２に記載の放射線撮像装置。
【請求項４】
請求項２または請求項３に記載の放射線撮像装置を備え、
前記放射線撮像装置を支持するガントリと、
前記放射線検出器からの検出信号を得て画像情報を生成する断層像情報作成装置と、
前記画像情報を表示する表示装置と、を有することを特徴とする核医学診断装置。
【発明の詳細な説明】
【技術分野】
【０００１】
本発明は、コリメータ、放射線撮像装置および核医学診断装置に関するものである。
【背景技術】
【０００２】
被検体の体内に放射性同位元素（以下ＲＩと称す）で標識化した薬剤を投与し、ＲＩから放出されるガンマ線を計測し、被検体体内における薬剤の分布を画像化するための放射線撮像装置が知られている。
放射線撮像装置としては、ガンマ線を光に変換するヨウ化ナトリウム（以下ＮａＩと称す）の単結晶と、ＮａＩが発した光を電気信号に変換する光電子増倍管とを備え、後段の電気回路にて入射したガンマ線の位置を求めるようにしたものが知られている。
【０００３】
被検体の体内に投与されたＲＩは、あらゆる方向にガンマ線を放出するので、画像化するためには特定の方向のガンマ線のみを透過するコリメータが使用されている（例えば、特許文献１参照）。
図８（ａ）は一般的なコリメータを被検体側から見た模式図であり、コリメータ７０は、六角形の穴７１が多数形成された、薄い鉛板からなるハニカム構造とされている（図８（ｂ）参照）。このようなコリメータ７０の性能は、図示しない被検体から放出されるガンマ線をどの位透過することができるかを示す感度、およびどの位詳細な画像が得られるかを示す分解能で評価される。ここで、感度は、例えば、ハニカム構造の鉛板の厚さ（以下隔壁厚と称す）を薄くして、穴７１を大きく形成し、ハニカム構造全体の厚さ（以下コリメータ厚と称す）を薄くすることによって高くすることができる。一方、分解能は、穴７１を小さくするか、コリメータ厚を厚くすることで高くすることができる。
【０００４】
通常、コリメータ７０は、次に示すような手法で作成される。
図９に示す手法では、まず、アルミニウム等からなる基材７２の周囲に、鉛板７３を巻き付け、この鉛板７３を基材７２ごと六角形に圧延して細かい素線７４を作成する。そして、素線７４を複数集めて接着し、その後、各基材７２をアルカリ溶液等で溶かして除去することで、六角形の穴７１を多数備えたハニカム構造のコリメータ７０が作成される。
【０００５】
また、図１０に示す手法では、六角形の穴を形成するための型（以下ピン７６と称す）を用いており、ピン７６をコリメータの有する穴の数作成し、所定間隔で並べた複数のピン７６の両端を、図示しないメッシュ状の板で位置決めしておいてこれらの間に溶けた鉛を流し込むものであり、冷却後に複数のピン７６を引き抜くことでハニカム構造のコリメータが作成される。
【０００６】
ところで、近年、ＮａＩに代わるものとして、エネルギー分解能の高い半導体材料からなる検出器を複数使用した放射線検出器が実用化されてきている。
この放射線検出器は、ＮａＩと違い、入射したガンマ線を直接電気信号に変換する機能を有している。そのため、この放射線検出器では、前記のように光電子増倍管と組み合わせて光に変換してから電気信号に変換するものに比べて変換回数が減り、そのことによるエネルギー利用効率の向上やノイズの低減を図ることが可能となって、高いエネルギー分解能を得ることができるという利点を有している。
通常、このような放射線検出器は、検出するマトリックスの大きさと同じ配列ピッチで検出器が配列される構成となっており、各検出器は、製作しやすい直方体形状とされて、被検体に向かう面側に正方形の面が向けられ、ガンマ線を検出する方向に長手方向が向けられた状態で配置されている。
【０００７】
【特許文献１】特開平１１−３０６７０号公報
【発明の開示】
【発明が解決しようとする課題】
【０００８】
ところで、このような半導体材料からなる検出器を、前記の手法で作成されるコリメータに組み合わせて放射線撮像装置を構成すると、図１１（ｂ）に示すように、検出器８１の形状（正方形）とコリメータ７０の穴７１の形状（六角形）とが相違することからコリメータ７０の隔壁７０ｂによる陰が位置により異なった状態となり、大きな感度差（図１１（ａ）参照）を生じて、図１１（ｃ）に示すような干渉縞を発生することがある。したがって、被検体に向かう面側に正方形の面が向けられた検出器を用いる放射線撮像装置では、干渉縞の発生を防止するために、検出器と同じ配列ピッチで、かつ検出器と同じ形状の四角い穴が並んだコリメータが必要になってくる。
【０００９】
しかしながら、前記した手法を用いてこのようなコリメータを形成しようとする次のような問題が生じてくる。すなわち、図９に示した手法では、検出器の配列ピッチと同じ配列ピッチで素線７４を並べることは可能であるが、圧延時に素線７４に曲がりやねじれ等が発生し易いため、素線７４間が均一にならずに隙間等が形成されてしまうという不具合を生じる。また、素線７４の曲がりやねじれ、さらには、素線７４の太さ寸法の不均一が蓄積されると、放射線撮像装置の視野の範囲では、検出器とコリメータ７０に設けた四角い穴との位置にずれが生じてしまい、結果的に感度差（ムラ）を生じてしまう。
また、図１０に示した手法では、コリメータの穴の配列ピッチは、上下に用いるメッシュ状の板（不図示）で規定されるため、ずれは生じ難いが、コリメータ厚に対して、隔壁厚が薄くなっているため、隙間に鉛を流し込むことが困難であった。また、四角くされたピンを引き抜く際に、鉛の壁がはがれて隔壁が破損するおそれもあった。
【００１０】
本発明は、このような諸問題を解決するためになされたものであり、感度を向上させることができるコリメータ、放射線撮像装置および核医学診断装置を提供することを課題とする。
【課題を解決するための手段】
【００１１】
前記した課題を解決するための手段として本発明は、ガンマ線を放射線検出器へ通過させる貫通穴を有する筒状部材を、複数個互いに接着剤で結合することでコリメータが形成されるので、放射線検出器の配列ピッチに貫通穴の配列ピッチを容易に合わせつつ各筒状部材同士を組み付け結合することができ、感度を向上させることができるコリメータおよび放射線撮像装置が得られる。
【００１２】
また、この放射線撮像装置を備えた核医学診断装置においては、放射線撮像装置の感度が向上することによって、放射性薬剤の量の低減や測定時間の短縮を図ることができる。
【発明の効果】
【００１３】
本発明によれば、感度を向上させることができるコリメータ、放射線撮像装置および核医学診断装置が得られる。
【発明を実施するための最良の形態】
【００１４】
次に、本発明のコリメータを備えた放射線撮像装置を、核医学診断装置として好適な実施形態であるＳＰＥＣＴ装置に適用した例を、適宜図面を参照して詳細に説明する。
本実施形態のＳＰＥＣＴ装置は、図１に示すように、建屋内の検査室Ｒ１に設置され、ガントリ１と、放射線撮像装置としてのカメラ１０Ａ，１０Ｂと、被検体Ｈを支持するベッドＢと、データ処理装置（コンピュータ等）２および表示装置３を備えて構成される。
【００１５】
このようなＳＰＥＣＴ装置において、被検体Ｈは、長手方向に移動可能なベッドＢに載せられて、ＳＰＥＣＴ撮像装置の中央部に設けられた空間部Ｋに挿入され、予め設定された所定の計測モード等で撮像される。被検体Ｈには、放射性薬剤、例えば、半減期が６時間の９９ｍＴｃを含んだ薬剤が予め投与され、被検体Ｈの体内の９９ｍＴｃから放出されるガンマ線を、カメラ１０Ａ，１０Ｂで検出して断層画像を撮像するようになっている。
【００１６】
ここで、カメラ１０Ａ，１０Ｂは同様の構成であるので、以下の説明においてはカメラ１０Ａについて説明する。カメラ１０Ａは、コリメータ１１および放射線検出器１２を備えて構成されている。コリメータ１１は、放射線検出器１２に対向配置され、被検体Ｈの体内から放出されるガンマ線を選別し、一定方向のガンマ線のみを通過させる放射線通路となる貫通穴１１ａ（図２参照）が形成されており、後記するように、金属製の筒状部材１１Ａ（図２参照）が複数個互いに結合されてなる。
【００１７】
放射線検出器１２は、半導体材料からなる検出器１２ａを複数備えて構成されており、検出器１２ａは、コリメータ１１を通過したガンマ線を検出するようになっている。カメラ１０Ａは、ガンマ線の検出信号を計測するための特定用途向け集積回路（Application Specific Integrated Circuit：ＡＳＩＣ）１３を備えている。検出器１２ａで検出されたガンマ線の検出信号は、検出器基板１４、ＡＳＩＣ基板１５を介してＡＳＩＣ１３に入力される。このとき、ＡＳＩＣ１３には、ガンマ線を検出した検出器１２ａのＩＤ、検出したガンマ線の波高値や検出時刻が入力される。これらはカメラ１０Ａを構成する鉄、鉛等でできた遮光・ガンマ線・電磁シールド１６によって囲まれており、光、ガンマ線、電磁波が遮断されるようになっている。
ここで、検出器１２ａは、図示しない複数枚の半導体検出素子と導電部材とが交互に積層された積層構造とされており、コリメータ１１で仕切られる領域（貫通穴１１ａで仕切られる領域）に多段に複数配置される（不図示）。半導体検出素子としては、ＣｄＴｅ、ＣｄＺｎＴｅ、ＧａＡｓ等のいずれかの単結晶が用いられている。なお、検出器１２ａは、このような積層構造とする必要はなく、単層としてもよいし、また、適宜の層構造としてもよい。
【００１８】
このようなカメラ１０Ａ，１０Ｂは、いずれも、ガントリ１の径方向および周方向に移動可能に設けられており、撮像時には、ベッドＢに載せられた被検体Ｈの周りを近接軌道を描いて移動しつつ撮像する。また、カメラ１０Ａは、ガントリ１に対する取付部（不図示）を軸として回動可能に設けられており、２つのカメラ１０Ａ，１０Ｂを並べて配置することで、ＳＴＡＴＩＣ画像を撮像させることもできる。このようにして、被検体Ｈの体内から放出されるガンマ線を検出することで、被検体Ｈの体内の腫瘍等に集積した放射性の薬剤の位置を特定し、腫瘍の位置を同定するようになっている。
【００１９】
データ処理装置２は、記憶装置および断層像情報作成装置（図示せず）を有する。データ処理装置２は、カメラ１０Ａ，１０Ｂで計測したガンマ線の波高値、検出時刻のデータおよび検出器（チャンネル）ＩＤを含むパケットデータを取り込み、平面像を生成、もしくはサイノグラムデータに変換して断層像情報を生成する。生成された断層像情報は、表示装置３に出力されて表示される。
【００２０】
次に、本実施形態の特徴部分であるコリメータ１１を詳細に説明する。
コリメータ１１は、鉛製であり、図２に示すように、隔壁１１ｂにより仕切られた碁盤目状の貫通穴１１ａを有している。各貫通穴１１ａは、その開口が検出器１２ａ（図２において一点鎖線で図示、以下同じ）の端面１２ｃの形状（正方形）に対応する四角形状（正方形）を呈しており、その大きさも検出器１２ａの端面１２ｃの大きさにほぼ一致したものとなっている。また、貫通穴１１ａの配列ピッチＰ１は、検出器１２ａの配列ピッチＰ２に一致したものとなっている。つまり、Ｐ１＝Ｐ２であり、各検出器１２ａ間で感度差が生じ難いものとなっており、従来のような干渉縞（図１１（ｃ）参照）の出現が回避されたものとなっている。
【００２１】
このようなコリメータ１１は、次のような工程を経て作成される。
まず、図３（ａ）に示すように、四角柱状の巻付け治具３０を用い、この巻付け治具３０に鉛シート１１Ｂを巻き付けて角筒状の筒状部材１１Ａを形成する。
ここで、巻付け治具３０は、一定の横断面３０ａを有しており、その横断面３０ａは、検出器１２ａの端面１２ｃ（一点鎖線で図示）にほぼ一致した大きさとされている。したがって、筒状部材１１Ａの内周面によって形成される貫通穴１１ａは、その開口が検出器１２ａの端面１２ｃにほぼ一致した大きさに形成されるようになっている。
【００２２】
鉛シート１１Ｂは、コリメータ１１の高さ寸法ｈと同じ高さ寸法ｈを有しており、また、その厚さｔは、コリメータ１１の隔壁１１ｂの壁厚Ｔ（図３（ｃ）参照）のほぼ半分の厚さとされている。これによって、図３（ｃ）に示すように、筒状部材１１Ａ同士が後記するように接着されて結合されることで、隣合う貫通穴１１ａの間に所定の壁厚Ｔを有する隔壁１１ｂが形成されるようになっている。
【００２３】
図３（ｂ）に示すように、鉛シート１１Ｂで筒状部材１１Ａを形成したら、筒状部材１１Ａから巻付け治具３０を引き抜く。そして、このような筒状部材１１Ａをコリメータ１１に必要な穴の数（検出器１２ａに対応する数）だけ形成し、図３（ｃ）に示すように、筒状部材１１Ａの連続する２面に亘って接着剤Ｓを塗布して、筒状部材１１Ａ同士を接着する。これによって、筒状部材１１Ａ同士が接着剤Ｓで結合されてなる所望の大きさのコリメータ１１が得られる。
【００２４】
筒状部材１１Ａの接着に際しては、例えば、数値制御の図示しない組立装置等を利用することで、筒状部材１１Ａの配列ピッチＰ１が検出器１２ａの配列ピッチＰ２に正確に一致するように位置制御を行いながら結合することができる。
【００２５】
このように形成されたコリメータ１１では、筒状部材１１Ａを接着剤Ｓで結合することによって、隣合う貫通穴１１ａの間に形成される隔壁１１ｂが、筒状部材１１Ａの厚さｔの２枚分にほぼ等しい壁厚Ｔを備えて構成されることとなり、必要とされる強度が筒状部材１１Ａの結合と同時に確保されたものとなっている。したがって、別途、強度を得るための部材等を用いる必要もなく、簡単な構造で所定の強度を有するコリメータ１１が得られる。したがって、組立生産性に優れるとともに経済的に優れたものとなっている。
【００２６】
なお、コリメータ１１は、鉛シート１１Ｂを用いて筒状部材１１Ａを形成したが、鉛シート１１Ｂに代えて、鉛合金やタングステン等の高比重の金属材料からなるシートを用いて筒状部材１１Ａを形成してもよい。
【００２７】
このようなコリメータ１１を備えたＳＰＥＣＴ装置による撮影では、図１に示すように、放射性薬剤が投与された被検体Ｈが載っているベッドＢが移動され、被検体Ｈが、カメラ１０Ａ，１０Ｂの間に移動される。そして、カメラ１０Ａ，１０Ｂが回転されることによって、各カメラ１０Ａ，１０Ｂは被検体Ｈの周囲を旋回する。そして、放射性薬剤が集積した被検体Ｈ内の集積部（例えば、患部）から放出されたガンマ線がコリメータ１１の貫通穴１１ａ（図２参照）を通って対応する検出器１２ａに入射される。そして、検出器１２ａは、ガンマ線検出信号を出力し、このガンマ線検出信号は、前記したＡＳＩＣ１３等で処理され、その後、データ処理装置２に取り込まれて平面像や断層像情報として生成され、その生成された断層像情報等が表示装置３に表示される。
【００２８】
以下では、本実施形態において得られる効果を説明する。
（１）ガンマ線を検出器１２ａへ通過させる貫通穴１１ａを有する筒状部材１１Ａを、複数個互いに接着剤Ｓで結合することでコリメータ１１が形成されるので、検出器１２ａの配列ピッチＰ２に貫通穴１１ａの配列ピッチＰ１を容易に合わせつつ各筒状部材１１Ａ同士を組み付け結合することができ、感度を向上させることができるコリメータ１１およびこのコリメータ１１を用いた放射線撮像装置が得られる。また、検出器１２ａの配列ピッチＰ２に貫通穴１１ａの配列ピッチＰ１を合わせることができるので、組立誤差が蓄積され難く、比較的大きな寸法のコリメータ１１も容易に作成することができる。
（２）コリメータ１１が複数個の筒状部材１１Ａを集合させて接着剤Ｓで結合することにより構成されるので、筒状部材１１Ａの個数を変えることによって、様々な大きさのコリメータ１１を容易に作成することができる。また、放射線撮像装置の検出器１２ａの数が仕様の変更等によって異なる数となった場合にも、筒状部材１１Ａの数を検出器１２ａの数に対応させて変更することで簡単にコリメータ１１を作成することができ、このような仕様の変更等に対しても既存設備の大幅な変更等を必要とせずに対処することができる。したがって、経済効果が高く、コストの低減も図ることができる。
（３）コリメータ１１が複数個の筒状部材１１Ａからなり、筒状部材１１Ａを接着剤Ｓで結合してなるので、組み付けに熟練を必要とせず、組付生産性が高いという利点が得られる。
（４）巻付け治具３０は、一定の横断面３０ａを有しており、その横断面３０ａが、検出器１２ａの端面１２ｃにほぼ一致した大きさとされているので、巻付け治具３０に鉛シート１１Ｂを巻き付けるという簡単な作業で、形成される筒状部材１１Ａの貫通穴１１ａを検出器１２ａの端面１２ｃの大きさにほぼ一致したものとして形成することができる。したがって、簡単な作業で各検出器１２ａ間で感度差の生じ難い高精度のコリメータ１１が得られる。
（５）鉛シート１１Ｂは、コリメータ１１の高さ寸法ｈと同じ高さ寸法ｈを有しているので、この鉛シート１１Ｂから形成される筒状部材１１Ａを接着剤Ｓで結合するだけで、所望の高さ寸法ｈを備えたコリメータ１１を作成することができ、コリメータ１１の作成が簡単である。
（６）鉛シート１１Ｂの厚さｔは、コリメータ１１の隔壁１１ｂの壁厚Ｔのほぼ半分の厚さとされているので、筒状部材１１Ａ同士が接着されて結合されることで、隣合う貫通穴１１ａの間に所定の壁厚Ｔを有する隔壁１１ｂが形成されることとなり、筒状部材１１Ａ同士を結合するという簡単な作業で、所望の強度を有し、かつ貫通穴１１ａが所定の配列ピッチＰ２で並べられたコリメータ１１が得られる。したがって、精密な位置合わせ等の特別な工程を経ることなく各検出器１２ａ間で感度差の生じ難い高精度のコリメータ１１が得られる。
（７）検出器１２ａとして、ＣｄＴｅ、ＣｄＺｎＴｅ、ＧａＡｓ等のいずれかの単結晶からなる半導体検出素子を使用しているので、エネルギー分解能が向上し、さらにコリメータ１１により感度が向上されることと相俟って、診断精度を向上させることができる。また、高画質化が図れると共に定量性のある検査が可能となる。
（８）コリメータ１１により、特有な干渉縞を防止して感度を向上させることができるので、放射性薬剤の量の低減や測定時間の短縮を図ることができる。また、測定時間の短縮によって、測定人数の増加が見込めるので、経済効果が高く、コストの低減も図ることができる。
【００２９】
次に、図４にＳＰＥＣＴ装置に用いられるコリメータ１１の他の形成工程を示す。図４に示した例では、筒状部材１１Ａを複数個互いに接着剤Ｓで結合する際に、筒状部材１１Ａを所定の配列ピッチＰ２で位置決めした状態に組み付けることができる位置決め部材４０を用いている点が異なっている。
【００３０】
位置決め部材４０は、図４（ｂ）に示すように、支持台Ｄ上に立設された複数本の角柱部材４１を有しており、各角柱部材４１は、検出器１２ａ（図２参照）の配列ピッチＰ２と同じ配列ピッチＰ２で配置されている。そして、角柱部材４１は、筒状部材１１Ａの貫通穴１１ａに抜き挿し可能に挿通されるように、貫通穴１１ａよりも細く形成されている。角柱部材４１の上部４１ａは、上方へ向けて傾斜状に窄まっており、筒状部材１１Ａの挿通操作が行ない易い形状となっている。なお、角柱部材４１は支持台Ｄに形成された図示しない取付穴に下部が挿入されて支持台Ｄに取り外し不能に組み付けられている。
【００３１】
このような位置決め部材４０を用いたコリメータ１１の形成は、次のような工程を経て行われる。
用いる筒状部材１１Ａは、前記と同様にして、巻き付け治具３０に鉛シート１１Ｂを巻き付けることで角筒状に形成され（図３（ａ）（ｂ）参照）、巻き付け治具３０を引き抜くことで形成される（図４（ａ）参照）。
そして、前記と同様にして、筒状部材１１Ａの連続する２面に亘って接着剤Ｓを塗布し（図３（ｃ）参照）、これを、図４（ｂ）に示すように、位置決め部材４０の角柱部材４１に順次挿通保持する。なお、この例では、接着剤Ｓとして熱硬化型接着剤を用いている。したがって、角柱部材４１に筒状部材１１Ａを順次保持する際には、接着剤Ｓが固まることがなく、保持作業もスムーズに行うことができる。
【００３２】
ここで、位置決め部材４０の角柱部材４１は、前記のように配列ピッチＰ２で配列されているので、この角柱部材４１に保持された筒状部材１１Ａは、自ずと配列ピッチＰ２で角柱部材４１に保持されることとなり、検出器１２ａと同じ配列ピッチＰ２で位置決めされることとなる。
【００３３】
全ての角柱部材４１に筒状部材１１Ａを保持した後、所定の熱を加えて接着剤Ｓを硬化させる。そして、図４（ｃ）に示すように、結合された筒状部材１１Ａの集合体を位置決め部材４０から取り外す。これによって、筒状部材１１Ａ同士が接着剤Ｓで結合されてなる所望の大きさのコリメータ１１が得られる。
【００３４】
このように、位置決め部材４０を用いることで、位置決め部材４０の角柱部材４１に接着剤Ｓの塗布された筒状部材１１Ａを単に保持するという簡単な作業によって、筒状部材１１Ａが検出器１２ａの配列ピッチＰ２と同じ配列ピッチＰ２で配列されてなるコリメータ１１が得られる。したがって、検出器１２ａに対する位置合わせの精度が高く、感度の向上に寄与するコリメータ１１を簡単な作業で得ることができる。また、筒状部材１１Ａの結合にあたっては数値制御の組立装置等を利用する必要もないので、組付生産性に優れ、経済的であるという利点も得られる。
【００３５】
なお、図５に示すように、支持台Ｄと同じように構成された上支持部材Ｄ１を用いて、全ての角柱部材４１を上側から位置決めするようにしてもよい。上支持部材Ｄ１には、角柱部材４１と同じ配列ピッチＰ２で形成された位置決め孔Ｄａが設けられており、位置決め孔Ｄａには、各角柱部材４１の上部４１ａが挿通されて保持されるようになっている。
【００３６】
このような上支持部材Ｄ１を用いることによって角柱部材４１は上下方向から保持されることとなり、これによって角柱部材４１に保持される筒状部材１１Ａの結合精度が向上されて、より一層高精度で感度の向上を図ることのできるコリメータ１１が得られる。
【００３７】
図６，図７にＳＰＥＣＴ装置に用いられるコリメータ１１のその他の形成工程を示す。図６に示した例では、巻き付け治具５０が溶解する材料で形成されたものを用いている点が異なっている。
巻付け治具５０は、上部と下部とがそれぞれの端部へ向けて細く窄まった四角柱状を呈しており、熱を加えると溶解する材料、例えば、アルミニウム等で形成されている。鉛シート１１Ｂは、図６（ａ）（ｂ）に示すように、巻付け治具５０の胴部５１に巻き付けられて、角筒状の筒状部材１１Ａ（図６（ｂ）参照）として形成されるようになっている。
【００３８】
鉛シート１１Ｂの巻き付けられた巻付け治具５０は、図６（ｃ）に示すように、巻付け治具５０を組み合わせることのできる支持台Ｄに取り付けられる。支持台Ｄには、検出器１２ａ（図２参照、以下同じ）と同じ配列ピッチＰ２で形成された位置決め孔Ｄｂが設けられており、位置決め孔Ｄｂには、巻付け治具５０の下部が挿通されて保持されるようになっている。
【００３９】
全ての巻付け治具５０を支持台Ｄへ保持したら、真空含浸等の手法を用いて、図６（ｄ）に示すように、筒状部材１１Ａの間に接着剤Ｓを浸み込ませて接着する。その後、接着剤Ｓで結合した筒状部材１１Ａの集合体を巻付け治具５０ごと支持台Ｄから取り外し、上面および下面を所定量研磨して、コリメータ１１に必要な厚さに形成する。
【００４０】
その後、巻付け治具５０を、熱を加える手法や薬品等を添加する手法で溶かす。これによって、図６（ｅ）に示すように、巻付け治具５０の除去されたコリメータ１１が得られる。
【００４１】
このように形成されたコリメータ１１によれば、筒状部材１１Ａ同士の隙間が狭くても接着剤Ｓを良好に浸み込ませることができ、筒状部材１１Ａ同士を好適に結合することができる。また、接着剤Ｓによる厚さを薄くすることができ、その分、筒状部材１１Ａの貫通穴１１ａを大きく設定することができる。したがって、感度のより向上されたコリメータ１１を得ることができる。
【００４２】
また、図７に示した例では、巻付け治具６０の形状に特徴があり、上部および下部の幅Ｌが検出器１２ａの配列ピッチＰ２と同じ大きさとされている点が異なっている。
巻付け治具６０は、鉛シート１１Ｂが巻き付けられる胴部６１が、前記した巻付け治具３０（図３（ａ）（ｂ）参照）と同じ太さとされており、この胴部６１に鉛シート１１Ｂを巻き付けることで所望の大きさとされた筒状部材１１Ａが得られるようになっている。そして、巻付け治具６０の上部および下部は、前記したように、その幅Ｌが検出器１２ａの配列ピッチＰ２と同じ大きさとなるように形成されており、図７（ｂ）に示すようにして巻付け治具６０の胴部６１に鉛シート１１Ｂを巻き付けたものを、図７（ｃ）に示すように、複数個互いに密着させて並べると、各巻付け治具６０に巻き付けられた筒状部材１１Ａは、配列ピッチＰ２と同じ配列ピッチＰ２で配置されることとなる。
【００４３】
したがって、前記例と同様にして、これらの筒状部材１１Ａの間に接着剤Ｓを真空含浸等の手法で浸み込ませて接着することにより、検出器１２ａと同じ配列ピッチＰ２で並べられた筒状部材１１Ａの集合体が得られる。
【００４４】
そして、前記例と同様にして、巻付け治具６０を、熱を加える手法や薬品等を添加する手法で溶かすことによって、図７（ｄ）に示すように、巻付け治具６０の除去されたコリメータ１１が得られる。
【００４５】
以上の実施形態では、鉛シート１１Ｂから筒状部材１１Ａを形成してコリメータ１１を構成したが、これに限られることはなく、パイプ状の部材を所定の長さに複数切断して、これらを結合することによりコリメータ１１を構成してもよい。
【図面の簡単な説明】
【００４６】
【図１】本発明の好適な実施形態であるＳＰＥＣＴ装置の構成を模式的に示した図である。
【図２】作成途中のコリメータを示す模式斜視図である。
【図３】（ａ）〜（ｃ）はコリメータの作成工程を示す模式図である。
【図４】（ａ）〜（ｃ）はＳＰＥＣＴ装置に用いられるコリメータの他の形成工程を示す模式図である。
【図５】コリメータの他の形成工程を示す説明図である。
【図６】（ａ）〜（ｅ）はＳＰＥＣＴ装置に用いられるコリメータのその他の形成工程を示す模式図である。
【図７】（ａ）〜（ｄ）はＳＰＥＣＴ装置に用いられるコリメータのその他の形成工程を示す模式図である。
【図８】（ａ）（ｂ）は従来技術の説明図である。
【図９】従来技術の説明図である。
【図１０】従来技術の説明図である。
【図１１】（ａ）〜（ｃ）は従来技術の説明図である。
【符号の説明】
【００４７】
１      ガントリ
２      データ処理装置
３      表示装置
１０Ａ，１０Ｂ  カメラ
１１    コリメータ
１１Ａ  筒状部材
１１Ｂ  鉛シート
１１ａ  貫通穴
１１ｂ  隔壁
１２    放射線検出器
１２ａ  検出器
３０    巻き付け治具
４０    位置決め部材
４１    角柱部材
５０，６０    巻き付け治具
Ｂ      ベッド
Ｄ      支持台
Ｈ      被検体
Ｐ１    配列ピッチ
Ｐ２    配列ピッチ
Ｓ      接着剤
【図１】
2008275362.tif 000003
【図２】
2008275362.tif 000004
【図３】
2008275362.tif 000005
【図４】
2008275362.tif 000006
【図５】
2008275362.tif 000007
【図６】
2008275362.tif 000008
【図７】
2008275362.tif 000009
【図８】
2008275362.tif 000010
【図９】
2008275362.tif 000011
【図１０】
2008275362.tif 000012
【図１１】
2008275362.tif 000013